(57)【特許請求の範囲】
【請求項１】
加熱手段により内部を通過する水が加熱される加熱回路と、室内の床面に配置されて内部を通過する温水を熱源として該室内を暖める床暖房回路とを含む温水回路と、
該温水回路に温水を循環させる循環ポンプと、
該温水回路に設けられ、開弁又は閉弁により該床暖房回路への温水の流通を許可又は禁止する開閉弁と、
該室内の温度を設定する室温設定手段と、
該室内の温度を測定する室温測定手段と、
該室温設定手段による設定室温Ｔ’と該室温測定手段による測定室温Ｔとの温度偏差ΔＴ（＝Ｔ−Ｔ’）に基づき、該加熱手段による該加熱回路の水への加熱量と、該開閉弁の開弁時間とを制御する制御手段とを備えた温水式床暖房システムであって、
前記制御手段が、床暖房運転の開始後、前記温度偏差ΔＴ（＝Ｔ−Ｔ’）が閾値（＜０）を超えるまでの間、前記放熱量のレベルを一定に維持し、該閾値を超えた前記温度偏差ΔＴが第１所定値（＞０）を超える場合は直前の放熱量のレベルを低減し、第２所定値（＜０）を下回る場合は直前の放熱量のレベルを増大し、第１所定値以下且つ第２所定値以上の場合は直前の放熱量のレベルを維持し、増大、低減又は維持した該レベルに応じて該加熱手段による該加熱回路の水への加熱量と、該開閉弁の開弁時間とを制御することを特徴とする温水式床暖房システム。
【請求項２】
加熱手段により内部を通過する水が加熱される加熱回路と、室内の床面に配置されて内部を通過する温水を熱源として該室内を暖める床暖房回路とを含む温水回路と、
該温水回路に温水を循環させる循環ポンプと、
該温水回路に設けられ、開弁又は閉弁により該床暖房回路への温水の流通を許可又は禁止する開閉弁と、
該室内の温度を設定する室温設定手段と、
該室内の温度を測定する室温測定手段と、
該室温設定手段による設定室温Ｔ’と該室温測定手段による測定室温Ｔとの温度偏差ΔＴ（＝Ｔ−Ｔ’）に基づき、該加熱手段による該加熱回路の水への加熱量と、該開閉弁の開弁時間とを制御する制御手段とを備えた温水式床暖房システムであって、
前記制御手段が、床暖房運転の開始後、前記温度偏差ΔＴ（＝Ｔ−Ｔ’）が閾値（＜０）を超えるまでの間、前記放熱量のレベルを一定に維持し、該閾値を越えた後、断続的に決定される該温度偏差ΔＴが第１所定値（＞０）を超えるときは直前の放熱量のレベルを低減し、放熱量のレベルの低減に伴い断続的に決定される該温度偏差ΔＴが低下して第２所定値（＜０）を下回るときは直前の放熱量のレベルを増大し、放熱量のレベルの低減、又は低減及び増大を経た後で断続的に決定される該温度偏差ΔＴが第１所定値以下且つ第２所定値以上となるときは直前の放熱量のレベルを維持することを特徴とする温水式床暖房システム。
【請求項３】
前記制御手段は、床暖房運転の開始後、前記放熱量のレベルを最高レベルに設定し、前記温度偏差ΔＴ（＝Ｔ−Ｔ’）が前記閾値（＜０）を超えたとき、該レベルを最高レベルから低下させることを特徴とする請求項１又は２記載の温水式床暖房システム。
【発明の詳細な説明】
【０００１】
【発明の属する技術分野】
本発明は、加熱手段により内部を通過する水が加熱される加熱回路と、室内の床面に配置されて内部を通過する温水を熱源として該室内を暖める床暖房回路とを含む温水回路と、該温水回路に温水を循環させる循環ポンプと、該温水回路に設けられ、開弁又は閉弁により該床暖房回路への温水の流通を許可又は禁止する開閉弁と、該室内の温度を設定する室温設定手段と、該室内の温度を測定する室温測定手段と、該室温設定手段による設定室温Ｔ’と該室温測定手段による測定室温Ｔとの温度偏差ΔＴ（＝Ｔ−Ｔ’）に基づき、該加熱手段による該加熱回路の水への加熱量と、該開閉弁の開弁時間とを制御する制御手段とを備えた温水式床暖房システムに関する。
【０００２】
【従来の技術】
前記温水式床暖房システムでは、加熱手段により加熱回路の水が加熱されて生じた温水が循環ポンプの作動により温水回路を循環し、床暖房回路を介して室内に熱を与えることで床暖房運転が行われる。
【０００３】
床暖房運転の開始後、３０分等の一定時間に渡り、加熱回路の下流且つ床暖房回路の上流における温水回路の水温が７２℃等の高温に制御された状態で床暖房運転が継続される。これは、床暖房運転開始から短時間で室温を上昇させ、室内を迅速に暖めるためである。
【０００４】
かかる一定時間の初期的な床暖房運転に続き、測定室温Ｔと設定室温Ｔ’との温度偏差ΔＴ（＝Ｔ−Ｔ’）に基づき、表１に示すテーブルに従って加熱回路の下流且つ床暖房回路の上流における温水回路の水温と、１周期（２０分）ごとの開閉弁の開弁時間とが制御される。
【０００５】
【表１】
0003745299.tif 000002
【０００６】
表１に示すように温水回路の水温が６０℃に制御される場合と、７２℃に制御される場合とで１周期（２０分）における開弁時間の制御は相違するが、以下、当該水温が７２℃に制御される場合について説明する。まず、床暖房運転時間がまだ短く、室温Ｔが低いために偏差ΔＴが−１℃以下のとき、開弁時間が１周期のうち１０分に設定される（表１(10)参照）。これにより、床暖房回路を流れる温水から室内に熱が移動し、室温Ｔが徐々に上昇する。そして、室温Ｔが設定室温Ｔ’に近づき偏差ΔＴが−０．２℃以上、且つ、０．２℃以下となったとき、開弁時間が１周期のうち８分に設定される（表１ (7)参照）。
【０００７】
【発明が解決しようとする課題】
しかし、部屋の構造や大きさ、構造物の素材や外気温等、種々の要因に応じ、当該部屋から外部に逃げていく熱量は変動する。従って、床暖房運転の開始後に一律に温水回路の水温を高温として一定時間に渡って床暖房運転が実行されたのでは、室温が過剰に上昇してしまうおそれもあり、また、この逆に過剰に低下してしまうおそれもある。
【０００８】
また、温度偏差ΔＴが−０．２℃≦ΔＴ≦０．２℃の場合に一律に開弁時間が８分とされたのでは、室温Ｔが設定温度Ｔ’からみて過剰に低下したり上昇したりする場合がある。このため、室内にいる者が室温Ｔが設定温度Ｔ’から外れて制御されることに不快を覚えるおそれがある。
【０００９】
そこで、本発明は室温をより確実に設定温度に一致するように制御することができる温水式床暖房システムを提供することを解決課題とする。
【００１０】
【課題を解決するための手段】
前記課題を解決するための本発明の第１態様の温水式床暖房システムは、前記制御手段が、床暖房運転の開始後、前記温度偏差ΔＴ（＝Ｔ−Ｔ’）が閾値（＜０）を超えるまでの間、前記放熱量のレベルを一定に維持し、該閾値を超えた前記温度偏差ΔＴが第１所定値（＞０）を超える場合は直前の放熱量のレベルを低減し、第２所定値（＜０）を下回る場合は直前の放熱量のレベルを増大し、第１所定値以下且つ第２所定値以上の場合は直前の放熱量のレベルを維持し、増大、低減又は維持した該レベルに応じて該加熱手段による該加熱回路の水への加熱量と、該開閉弁の開弁時間とを制御することを特徴とする。また、前記課題を解決するための本発明の第２態様の温水式床暖房システムは、前記制御手段が、床暖房運転の開始後、前記温度偏差ΔＴ（＝Ｔ−Ｔ’）が閾値（＜０）を超えるまでの間、前記放熱量のレベルを一定に維持し、該閾値を越えた後、断続的に決定される該温度偏差ΔＴが第１所定値（＞０）を超えるときは直前の放熱量のレベルを低減し、放熱量のレベルの低減に伴い断続的に決定される該温度偏差ΔＴが低下して第２所定値（＜０）を下回るときは直前の放熱量のレベルを増大し、放熱量のレベルの低減、又は低減及び増大を経た後で断続的に決定される該温度偏差ΔＴが第１所定値以下且つ第２所定値以上となるときは直前の放熱量のレベルを維持することを特徴とする。
【００１１】
本発明によれば、温度偏差ΔＴ（＝Ｔ−Ｔ’）の上昇又は下降の程度に応じ、放熱量のレベルが更新設定可能であり、当該更新設定された放熱量のレベルに応じて加熱手段による加熱量及び開閉弁の開弁時間が制御される。温度偏差ΔＴの上昇又は下降の程度（設定室温Ｔ’を基準とした測定室温Ｔの上昇又は下降の程度）は部屋の広さ、室外へ逃げる熱量、室外気温等の諸条件に応じて変動するので、当該諸条件に応じた形で放熱量のレベルを設定することができ、ひいては室温を設定温度に安定に制御することができる。
【００１４】
本発明によれば、温度偏差ΔＴが閾値まで上昇した後の上昇・下降の程度に応じ、室外へ逃げる熱量等の諸条件に応じた形で適切に放熱量のレベルを更新設定し、ひいては室温Ｔを設定室温Ｔ’に安定に制御することができる。
【００１５】
また、本発明では、前記制御手段は、床暖房運転の開始後、前記放熱量のレベルを最高レベルに設定し、前記温度偏差ΔＴ（＝Ｔ−Ｔ’）が前記閾値（＜０）を超えたとき、該レベルを最高レベルから低下させることを特徴とする。
【００１６】
本発明によれば、床暖房運転の開始後、放熱量が最高レベルに設定されるので、室温の迅速な上昇を図ることができる。また、温度偏差が閾値に到った後、放熱量のレベルが低下されるので、必要以上に長時間に渡って放熱量が最高レベルに維持され、室温Ｔが設定室温Ｔ’よりも過剰に上昇する事態を回避することができる。
【００１７】
【発明の実施の形態】
本発明の温水式床暖房システムの実施形態について図面を用いて説明する。図１は第１実施形態の温水式床暖房システムの構成説明図であり、図２は第１実施形態の温水式床暖房システムの機能説明図であり、図３は第１実施形態の温水式床暖房システムによる室温制御の説明図であり、図４は第２実施形態の温水式床暖房システムの機能説明図である。
【００１８】
図１に示す温水式床暖房システムは、温水回路１と、バーナ（加熱手段）２と、床暖房運転が行われる室内に設けられ種々の設定が可能なリモコン３と、リモコン３における設定等に基づいてバーナ２の加熱量等を制御する制御ユニット（制御手段）４とを備えている。
【００１９】
温水回路１はバーナ２により内部を通過する水が加熱される加熱回路１１と、室内に設けられた床暖房装置５の内部を通過する温水を熱源として室内を暖める床暖房回路１６とを構成要素として含む。また、温水回路１は加熱回路１１の下流から温水回路１の温水の膨張及び収縮を吸収するシスターン１３まで到る回路１２と、シスターン１３から加熱回路１１の上流に到る回路１４と、回路１４から分岐して床暖房回路１６の上流に到る回路１５と、床暖房回路１６の下流から延びて回路１２に合流する回路１７とを構成要素として含む。
【００２０】
温水回路１の回路１４には、回路１５の分岐位置より上流に温水回路１に温水を循環させる循環ポンプ１４１が設けられている。温水回路１の回路１５には、通電・通電停止に伴い開弁・閉弁し、これにより床暖房回路１６への温水の流れを許可・禁止する熱動弁（開閉弁）１５１が設けられている。また、温水回路１の回路１５には熱動弁１５１より上流において床暖房回路１６に供給される温水の温度を測定する給湯サーミスタ１５２が設けられている。
【００２１】
バーナ２はファン２１により燃焼用空気が供給され、ガス通路２２から供給されるガスが点火されることで燃焼する。ガス通路２２には上流から順に元ガス電磁弁２２１と、ガス電磁弁２２２と、ガス調節弁２２３とが設けられている。
【００２２】
リモコン３には液晶パネル（図示略）の表示に基づいて室温を設定可能な設定ボタン（室温設定手段）３１と、室温度を測定する室温センサ（室温測定手段）３２と、床暖房運転のＯＮ／ＯＦＦを切り替える運転スイッチ３３とが設けられている。
【００２３】
制御ユニット４は放熱量レベルｎと、回路１５における温水回路１の水温と、熱動弁１５２への通電時間との関係を示すテーブル（次の表２参照）等を記憶する記憶手段４１を備えている。
【００２４】
【表２】
0003745299.tif 000003
【００２５】
また、制御ユニット４は後述のようにリモコン３の設定ボタン３１による設定室温Ｔ’と、室温センサ３２による測定室温Ｔとの温度偏差ΔＴ（＝Ｔ−Ｔ’）に基づき一のレベルｎを設定するレベル設定手段４２と、設定されたレベルｎに従ってバーナ２による加熱量を制御することで間接的に温水回路１の水温を制御する加熱量制御手段４３と、設定されたレベルｎに従って熱動弁１５１への通電時間を制御することでその開弁時間を制御する開閉弁制御手段４４とを備えている。
【００２６】
前記構成の温水式床暖房システムの機能について図２を用いて説明する。
【００２７】
リモコン３において運転スイッチ３３がＯＮ操作されると、まず、レベル設定手段４２がレベルｎを「１２（最高レベル）」に設定する（ｓ１０２）。これに応じ、加熱量制御手段４３が給湯サーミスタ１５２による測定水温が７２℃になるようにバーナ２の目標燃焼量を決定し、ファン電流を通じてファン２１の回転数を目標燃焼量に応じた回転数に制御し、ガス調節弁２２３の開度を目標燃焼量に応じた開度に制御する。また、イグナイタ及び点火電極（図示略）を通じてガス通路２２からバーナ２に供給されるガスが点火され、ファン２１から燃焼用空気が供給されてバーナ２が燃焼を開始する。
【００２８】
次に、レベル設定手段４２が、レベルｎを１２（最高レベル）に維持しておくべきか否かを判断すべく、温度偏差ΔＴが−３℃（閾値）を超えたか否かを判定する（ｓ１０４）。続いて温度偏差ΔＴが−３℃（閾値）を超えたとき（ｓ１０４でＹＥＳ）、レベル設定手段４２は、レベルｎを１２（最高レベル）から１０に低下させる（ｓ１０６）。なお、このときレベルｎは１０ではなく、８、９等に適宜低下されてよい。
【００２９】
次にレベル設定手段４２は、レベルｎを１２から１０に切り替えた後（ｓ１０６参照）、２０分ごとに周期的に▲１▼温度偏差ΔＴが−５℃を下回っているか否か、▲２▼温度偏差ΔＴが−５℃以上且つ−０．２℃（第２所定値）を下回っているか否か、▲３▼−０．２℃（第２所定値）以上且つ０．２℃（第１所定値）以下であるか、或いは▲４▼０．２℃（第１所定値）を超えているかを判定する（ｓ１０８、ｓ１１０、ｓ１２０）。
【００３０】
換気のため窓が開放された等のため室温Ｔが急激に低下し、▲１▼温度偏差ΔＴが−５℃を下回る場合（ｓ１０８でＹＥＳ）、レベル設定手段４２はレベルｎを再度「１２」に設定し直す（ｓ１０２）。
【００３１】
レベル設定手段４２は、▲２▼温度偏差ΔＴが−５℃以上且つ−０．２℃を下回る場合（ｓ１０８でＮＯ、ｓ１１０でＹＥＳ）、レベルｎが１１以下か否か（レベルｎをｎ＋１に増大可能か否か）を判定する（ｓ１１２）。このときレベルｎが１１以下（レベルｎをｎ＋１に増大可能）であれば（ｓ１１２でＹＥＳ）、レベルｎをｎ＋１に増大させる（ｓ１１４）。一方、このときレベルｎが１２（レベルｎをｎ＋１に増大不可能）であれば（ｓ１１２でＮＯ）、レベルｎをそのまま１２に維持する（ｓ１２４）。
【００３２】
また、レベル設定手段４２は、▲３▼温度偏差ΔＴが−０．２℃以上且つ０．２℃以下の場合（ｓ１１０でＮＯ、ｓ１２０でＹＥＳ）、レベルｎをそのままに維持する（ｓ１２４）。
【００３３】
さらに、レベル設定手段４２は、▲４▼温度偏差ΔＴが０．２℃を超えている場合（ｓ１１０及びｓ１２０でＮＯ）、レベルｎが２以上であるか否か（レベルｎをｎ−１に減少可能か否か）を判定する（ｓ１３２）。このときレベルｎが２以上（レベルｎをｎ−１に減少可能）であれば（ｓ１３２でＹＥＳ）、レベルｎをｎ−１に減少させる（ｓ１３４）。一方、このときレベルｎが１（レベルｎをｎ−１に減少不可能）であれば（ｓ１３２でＮＯ）、レベルｎをそのまま１に維持する（ｓ１２４）。
【００３４】
レベル設定手段４２により設定されるレベルｎに応じ、前記表２に従って、加熱量制御手段４３は給湯サーミスタ１５２により測定される水温に基づき、バーナ２の加熱量を制御することで当該水温を間接的に制御する。また、開閉弁制御手段４４が熱動弁１５１への通電時間を制御することで、熱動弁１５１の開弁時間を間接的に制御する。
【００３５】
前述のようにレベル設定手段４２によって放熱量のレベルｎが設定されることにより、室温Ｔがどのように制御されるかについて図３を用いて説明する。
【００３６】
レベルｎ＝１２で床暖房運転が実行され、温度偏差ΔＴが−３℃を越えた後、温度偏差ΔＴが＋０．２℃を超える程度に室温Ｔが設定温度Ｔ’を超えて上昇する（矢印Ａ参照）。
【００３７】
このとき、室温Ｔがどの程度上昇するかは部屋の広狭、密閉性、室外気温等の諸条件に応じて相違する。例えば、狭い部屋や、密閉性が高い部屋については、室内空気の熱容量が小さく、室外に逃げる熱量が少ないため、室温Ｔが設定温度Ｔ’を超えて大きく上昇する。この場合、温度偏差ΔＴが０．２℃を超える状態が長時間継続し、レベル設定手段４２によりレベルｎが減少される回数（図２ｓ１３４参照）が比較的多くなる。一方、広い部屋や密閉性が低い部屋については、室内空気の熱容量が大きく、室外に逃げる熱量が多いため、室温Ｔが設定温度Ｔ’を超える程度が小さい。この場合、温度偏差ΔＴが０．２℃を超える状態が比較的短時間で終了し、レベル設定手段４２によりレベルｎが減少される回数（図２ｓ１３４参照）が比較的少なくなる。
【００３８】
レベルｎが減少されることで、加熱量制御手段４３により温水回路１の水温が低下されるか、或いは開閉弁制御手段４４により開閉弁１５１の開弁時間が短縮され、床暖房回路１６から室内への放熱量が減少する。このため、室温Ｔが上昇から下降に転じ、温度偏差ΔＴが＋０．２℃を超える程度に設定温度Ｔ’を下回って下降する（矢印Ｂ参照）。
【００３９】
このとき、室温Ｔがどの程度下降するかも部屋の広狭、密閉性、室外気温等の諸条件に応じて相違する。例えば、狭い部屋や、密閉性が低い部屋については、室内空気の熱容量が小さく、室外に逃げる熱量が多いため、室温Ｔが設定温度Ｔ’を下回り大きく低下する。この場合、温度偏差ΔＴが−０．２℃を下回る状態が長時間継続し、レベル設定手段４２によりレベルｎが増大される回数（図２ｓ１１４参照）が比較的多くなる。一方、広い部屋や、密閉性が高い部屋については、室内空気の熱容量が大きく、室外に逃げる熱量が少ないため、室温Ｔが設定温度Ｔ’を下回る程度が小さい。この場合、温度偏差ΔＴが−０．２℃を下回る状態が比較的短時間で終了し、レベル設定手段４２によりレベルｎが増大される回数（図２ｓ１１４参照）が比較的少なくなる。
【００４０】
レベルｎが増大されることにより、加熱量制御手段４３により温水回路１の水温が上昇されるか、或いは開閉弁制御手段４４により開閉弁１５１の開弁時間が延長され、床暖房回路１６から室内への放熱量が増加する。このため、室温が減少から増加に転じ、その後、前述のようにレベル設定手段４２によるレベルｎの減少・増加が繰り返される（図２ｓ１１４、ｓ１３４参照）。これにより室温Ｔも上昇・下降を繰り返す（矢印Ｃ参照）。しかる後、温度偏差ΔＴが−０．２℃以上０．２℃以下に安定するようになると、レベル設定手段４２によるレベルｎの増減は行われず、そのままに維持される（図２ｓ１２４参照）。これにより室温Ｔが設定温度Ｔ’付近に安定する（矢印Ｄ参照）。
【００４１】
本実施形態の温水式床暖房システムによれば、床暖房運転の開始後、放熱量のレベルｎが１２（最高レベル）に設定されるので（図２ｓ１０２参照）室温Ｔの迅速な上昇を図ることができる（図３矢印Ａ参照）。また、室温Ｔが上昇して温度偏差ΔＴが−３℃（閾値）を超えた後、レベルｎが低下される（図２ｓ１０６参照）。従って、放熱量のレベルｎが必要以上に長時間に渡って１２（最高レベル）に維持され、室温Ｔが設定室温Ｔ’よりも過剰に上昇してしまう事態を回避することができる。
【００４２】
さらに、レベルｎが温度偏差ΔＴに基づいて設定されるが、温度偏差ΔＴの増大又は低下の程度は室内から外部へ逃げる熱量等の諸条件に依存するので、レベルｎを当該諸条件に応じた形で設定することができる（図２ｓ１１４、ｓ１２４、ｓ１３４参照）。また、当該レベルに基づき、加熱量制御手段４３によりバーナ２の加熱量、ひいては温水回路１の水温が制御され、開閉弁制御手段４４により開閉弁１５１の開弁時間（通電時間）が制御されることで、室温Ｔを設定温度Ｔ’に安定に制御することができる（図３矢印Ｄ参照）。
【００４３】
また、記憶手段４１により記憶されているテーブル（表２参照）により様々な環境にある部屋の室温を制御可能なので、畳、フローリング、石等の床材質の相違等に対応すべく複数のテーブル（表１参照）が記憶されている場合と比較して室温制御用のテーブル記憶に要する記憶手段４１の記憶容量を節約することができる。
【００４４】
次に本発明の温水式床暖房システムの第２実施形態について説明する。第２実施形態のシステムの構成は図１に示す第１実施形態のシステムと同様であるので説明を省略する。第２実施形態のシステムによれば、図４に示す手順で室温Ｔが制御される。
【００４５】
図４に示す手順ｓ２０２〜ｓ２０６は図２に示す手順ｓ１０２〜１０４と同様なので説明を省略する。第２実施形態が第１実施形態と比較して相違するのは、レベルｎの増減幅が「１」の場合のみならず「２」の場合もある点である。
【００４６】
詳細には、レベルｎが１２から１０に切り替えられた後（ｓ２０６参照）、２０分ごとに周期的に▲１▼温度偏差ΔＴが−５℃を下回っているか否か、▲２▼温度偏差ΔＴが−５℃以上且つ−３℃を下回っているか否か、▲３▼−３℃以上且つ−０．２℃を下回っているか、▲４▼−０．２℃以上且つ０．２℃以下か、▲５▼０．２℃を超え且つ３℃以下か、或いは▲６▼ 3℃を超えているかを判定する（ｓ１０８、ｓ２１０、ｓ２２０、ｓ２３０、ｓ２４０）。
【００４７】
換気のため窓が開放された等のため室温Ｔが急激に低下し、▲１▼温度偏差ΔＴが−５℃を下回る場合（ｓ２０８でＹＥＳ）、レベル設定手段４２はレベルｎを再度「１２」に設定し直す（ｓ２０２）。
【００４８】
レベル設定手段４２は、▲２▼温度偏差ΔＴが−５℃以上且つ−０．２℃を下回る場合（ｓ２０８でＮＯ、ｓ２１０でＹＥＳ）、レベルｎが１０以下か否か（レベルｎをｎ＋２に増大可能か否か）を判定する（ｓ２１２）。このときレベルｎが１０以下（レベルｎをｎ＋２に増大可能）であれば（ｓ２１２でＹＥＳ）、レベルｎをｎ＋２に増大させる（ｓ１１４）。一方、このときレベルｎが１１又は１２（レベルｎをｎ＋２に増大不可能）であれば（ｓ１１２でＮＯ）、さらにレベルｎが１１以下か否か（レベルｎ＋１に増大可能か否か）が判定される（ｓ２２２）。
【００４９】
また、レベル設定手段４２は、▲３▼温度偏差ΔＴが−３℃以上且つ−０．２℃を下回る場合（ｓ２１０でＮＯ、ｓ２２０でＹＥＳ）、レベルｎが１１以下か否か（レベルｎをｎ＋１に増大可能か否か）を判定する（ｓ２２２）。このときレベルｎが１１以下（レベルｎをｎ＋１に増大可能）であれば（ｓ２２２でＹＥＳ）、レベルｎをｎ＋１に増大させる（ｓ１１４）。一方、このときレベルｎが１２（レベルｎをｎ＋１に増大不可能）であれば（ｓ１１２でＮＯ）、レベルｎをそのまま１２に維持する（ｓ２２２）。
【００５０】
さらにレベル設定手段４２は、▲４▼温度偏差ΔＴが−０．２℃以上且つ０．２℃以下の場合（ｓ２２０でＮＯ、ｓ２３０でＹＥＳ）、レベルｎをそのままに維持する（ｓ２３４）。
【００５１】
また、レベル設定手段４２は、▲５▼温度偏差ΔＴが０．２℃を超え且つ３℃以下の場合（ｓ２３０でＮＯ、ｓ２４０でＹＥＳ）、レベルｎが２以上であるか否か（レベルｎをｎ−１に減少可能か否か）を判定する（ｓ２４２）。このときレベルｎが２以上（レベルｎをｎ−１に減少可能）であれば（ｓ２４２でＹＥＳ）、レベルｎをｎ−１に減少させる（ｓ２４４）。一方、このときレベルｎが１（レベルｎをｎ−１に減少不可能）であれば（ｓ２４２でＮＯ）、レベルｎをそのまま１に維持する（ｓ２３４）。
【００５２】
さらにレベル設定手段４２は、▲６▼温度偏差ΔＴが３℃を超える場合（ｓ２４０でＮＯ）、レベルｎが３以上であるか否か（レベルｎをｎ−２に減少可能か否か）を判定する（ｓ２５２）。このときレベルｎが３以上（レベルｎをｎ−２に減少可能）であれば（ｓ２５２でＹＥＳ）、レベルｎをｎ−２に減少させる（ｓ２５４）。一方、このときレベルｎが１又は２（レベルｎをｎ−２に減少不可能）であれば（ｓ２５２でＮＯ）、レベルｎをｎ−１に原書可能か否かが判定される（ｓ２４４）。
【００５３】
以下、第１実施形態と同様に、レベル設定手段４２により設定されるレベルｎに応じ、前記表２に従って、加熱量制御手段４３は給湯サーミスタ１５２により測定される水温に基づき、バーナ２の加熱量を制御することで当該水温を間接的に制御する。また、開閉弁制御手段４４が熱動弁１５１への通電時間を制御することで、熱動弁１５１の開弁時間を間接的に制御する。
【００５４】
第２実施形態の本システムによれば、レベルｎが１より大きい幅「２」で適宜増減される（図４ｓ２１４、ｓ２５４参照）。従って、室温Ｔが増減を繰り返しながら設定室温Ｔ’への収束速度を増大し（図３矢印Ｂ、Ｃ参照）、迅速に室温Ｔを設定室温Ｔ’に収束させることができる（図３矢印Ｄ参照）。
【００５５】
また、第１及び第２実施形態では図２に示すテーブルにおいて一のレベルｎに対し、温水回路１６の水温（温水温度）及び熱動弁１５１への通電時間（〜開弁時間）の組み合わせが１つ対応しているが、他の実施形態として例えばレベル「９」には温水温度＝６０℃、通電時間＝１９分のほか、温水温度＝７２℃、通電時間＝１３分が対応するといったように一のレベルｎに対して複数の両者の組み合わせが対応していてもよい。
【００５６】
本実施形態では温水回路１は床暖房装置５を通る床暖房回路１６を含んでいたが、他の実施形態として床暖房回路１６に加え、回路１２から分岐し、温水回路１の温水を熱源とする温水式温風暖房器（図示略）を経た上で、回路１７に合流する温風暖房回路（図示略）を含んでいてもよい。
【図面の簡単な説明】
【図１】第１実施形態の温水式床暖房システムの構成説明図
【図２】第１実施形態の温水式床暖房システムの機能説明図
【図３】第１実施形態の温水式床暖房システムによる室温制御の説明図
【図４】第２実施形態の温水式床暖房システムの機能説明図
【符号の説明】
１‥温水回路、２‥バーナ（加熱手段）、３１‥設定ボタン（温度設定手段）、４‥制御ユニット（制御手段）、５‥床暖房装置
【図１】
0003745299.tif 000004
【図２】
0003745299.tif 000005
【図３】
0003745299.tif 000006
【図４】
0003745299.tif 000007